(57)【要約】      （修正有）【課題】携帯テレビ電話における低照度での撮影画像の画質を改善する。【解決手段】テレビ電話としての表示手段を液晶とバックライトで構成し、そのバックライトを撮像用の補助光としても使用する。また、バックライトに対するリフレクタを可動式にした。さらに、補助光としての使用時には、表示画像を縮小する。【選択図】図４
2007013283.tif 000002
【特許請求の範囲】
【請求項１】
表示手段と撮像手段を有し、表示部の光の一部を使用して撮像用の補助光とすることを特徴とする表示装置付き撮像装置。
【請求項２】
上記補助光の光量が調節可能なことを特徴とする請求項１に記載の表示装置付き撮像装置。
【請求項３】
上記表示部の光が液晶のバックライトであることを特徴とする請求項１に記載の表示装置付き撮像装置。
【請求項４】
前記表示手段が液晶にて構成されているものにおいて、液晶のバックライト用の導光体に対して、導光体に光を導くところのリフレクターが可動であることを特徴とする請求項３に記載の表示装置付き撮像装置。
【請求項５】
補助光使用時には撮像系の感度を切り替えることを特徴とする請求項１に記載の表示装置付き撮像装置。
【請求項６】
補助光使用時には撮像系の色補正をおこなうことを特徴とする請求項１に記載の表示装置付き撮像装置。
【請求項７】
補助光使用時には表示部の表示画像を通常より小さく表示することを特徴とする請求項１に記載の表示装置付き撮像装置。
【請求項８】
上記表示部の切替は光学系の移動と連動しておこなわれることを特徴とする請求項７に記載の表示装置付き撮像装置。
【請求項９】
バックライトの光源を液晶側に導くところの第１の光学系とは別にバックライトの光源を外部を照射するための第２の光学系を有することを特徴とする表示装置付き撮像装置。
【請求項１０】
上記第１の光学系と第２の光学系は一体で形成されていることを特徴とする請求項９に記載の表示装置付き撮像装置。
【請求項１１】
撮像手段と表示手段と表示手段を照明するところの第１の照明手段と被写体を照明するところの第２の照明手段を有し、第１と第２の照明手段が同じ光源を使用していることを特徴とする表示装置付き撮像装置。
【請求項１２】
第１と第２の照明手段へ導くところの光量の割合を変えることが可能なことを特徴とする請求項１１に記載の表示装置付き撮像装置。
【発明の詳細な説明】
【技術分野】
【０００１】
本発明は表示装置を有するところの撮像装置における撮像用の補助光に係わる表示装置付き撮像装置に関するものである。
【背景技術】
【０００２】
近年、携帯電話が普及し、携帯電話によるテレビ電話のサービスも始まっており、携帯電話によるコミュニケーションは確固たる地位を築いてきている。
【０００３】
今後、通信速度の向上によってテレビ電話によるコミュニケーションが主流となり、時・場所を選ばないテレビ電話の使用が望まれてくると思われる。
【０００４】
携帯可能なテレビ電話が提案されている公知例として特許文献１等がある。
【特許文献１】特開２００３−８７７５７号公報
【発明の開示】
【発明が解決しようとする課題】
【０００５】
しかしながら、音声のみの電話と異なり画像の場合には周囲の明るさによって撮像画像の品質が大きく左右される為、たとえば、夜の屋外での通話ではほとんど画像がわからないような状態である。
【０００６】
本発明は、以上の点に着目して成されたもので、携帯テレビ電話における低照度での撮像画像の画質改善を安価にて実現する表示装置付き撮像装置を提供することを目的とする。
【課題を解決するための手段】
【０００７】
そこで本発明では表示装置を利用して、撮像時の補助光とすることにより、特に専用の照明手段を設けずに安価で暗い場所での撮像画像を提供するものである。
【０００８】
すなわち、本発明の技術内容は以下の構成を備えることにより前記課題を解決できた。
【０００９】
（１）表示手段と撮像手段を有し、表示部の光の一部を使用して撮像用の補助光とすることを特徴とする表示装置付き撮像装置。
【発明の効果】
【００１０】
本発明では低照度下での撮像において、専用の補助光用の装置を利用せずに表示部の光を利用して低照度下の補助光とすることにより安価に低照度下でのテレビ電話の通話画像の品質を上げるものである。低照度下では表示部の光量は少なくてもよいため、表示機能を損なうこともない。
【発明を実施するための最良の形態】
【００１１】
以下、実施例を用いて本発明の説明を行う。
【実施例１】
【００１２】
図１は従来例の表示装置の構造を示す図である。１は液晶、２は光源、３は導光体、４は基板である。
【００１３】
図２は従来の表示装置を横から見た図である。
【００１４】
図３は本発明を使用した携帯電話の概観を示す図である。５は携帯電話本体、６は補助光用の光学系であり撮像系の被写体を照射するように構成されている、７は表示部、８は撮像部、９は切替操作部を示す。
【００１５】
図４は本発明による第一の実施例であるところの表示部を示す。
【００１６】
図５は第一の実施例の通常使用状態を示す図である。１０はリフレクター、１２は検出手段を示す。
【００１７】
図６は第一の実施例の補助光使用状態を示す図である。
【００１８】
図７は第一の実施例の構成を示す図である。
【００１９】
１３は導光体３に一体に形成されたところの凸部であり、リフレクター１０に形成されたところの穴部１４／１５と係合するように導光体３に対してリフレクター１０はスライド可能に指示されている。通常使用時には凸部１３と穴１５が係合し、図５に示すように光源２の光はリフレクター１０によって液晶３に導かれる。明るい場所では液晶３は輝度が高くなければ見えにくいため、図５矢印で示したように光源２の光をすべて利用して、明るい画像を表示できるようになっている。このとき検知スイッチ１２はＯＦＦの状態である。
【００２０】
次に暗い場所での使用時について説明する。
【００２１】
補助光使用時には凸部１３と穴１４が係合し、図６の矢印で示すように光源２の光は液晶側と補助光用の光学系６の両方に導かれる。補助光用の光学系６に導かれた光は、光学系６により被写体を照射するように拡散される。それにより撮像系による撮像画像が明るく見やすいものとなる。
【００２２】
暗い場所では液晶３の輝度はそれほど明るくなくても見ることができる為、図６の矢印で示すように少ないバックライトでも高品位な画像の表示が可能である。
【００２３】
ここで、導光体３と補助光用の光学系６は一体に形成されている。図６のリフレクター１０のスライド位置を複数位置取るようにすると補助光の光の量と表示用のバックライトの量を調整することも可能となる。リフレクター１０のスライドは図３に示すところの切替操作部９と連動するように構成されている。
【実施例２】
【００２４】
図８は第二の実施例の通常使用状態を示す図である。
【００２５】
第二の実施例は半円形のリフレクターが２体で形成されており、補助光側のリフレクター１１が回動可能に構成されている。図８では光源２の光は補助光側のリフレクター１１により遮られ、補助光側光学系６には光は導かれず、光は導光体３にすべて導かれるようになっている。このとき検知スイッチ１２はＯＦＦの状態である。
【００２６】
図９は第二の実施例の補助光使用時を示す図である。
【００２７】
補助光側のリフレクター１１が回動し光源２の光の一部が補助光側の光学系６に導かれている。
【００２８】
このとき検知スイッチ１２はＯＮの状態である。図９においてリフレクター１１の回動角を複数位置に設定することにより補助光用の光量の調節が可能である。
【００２９】
図１０は第二の実施例の構成を示す図である。
【００３０】
導光体３と補助光側の光学系６は一体で形成されておりリフレクター１０は導光体３に固定されている。補助光側のリフレクター１１は側面に形成された穴１７と導光体３に形成された凸部１６が係合し、回導可能に支持されている。
【実施例３】
【００３１】
図１１は第三の実施例を適用したところの携帯電話を示す図である。１８はスライド可能に支持されているところの補助光側の光学系である。通常使用時には図に示すように液晶表示部の外に位置するが、補助光使用時には図中矢印方向にスライドさせ、液晶画面上に移動させる。
【００３２】
図１２に液晶表示部１と補助光側の光学系１８の関係を示す図である。
【００３３】
通常使用時には図中（ａ）に示すように液晶表示部１の外側に補助光側の光学系１８が位置している。このとき検知スイッチ１２はＯＦＦ状態である。
【００３４】
補助光使用時には図中（ｂ）に示すように補助光側の光学系１８が液晶表示部１上に移動する。このとき検知スイッチ１２はＯＮ状態になる。このとき液晶表示部１は、図１３に示すように通常使用時の表示画像（ａ）と異なり表示画像の表示エリアをせばめ、補助光側の光学系１８の重なり合う部分は（ｂ）に示すように高輝度の画像を表示し、その高輝度の光を補助光側の光学系１８に導いて補助光として使用する。このとき補助光用の光学系により光は被写体全体を照らすように拡散される。
【００３５】
なお、図１４に第一・第二の実施例における検出スイッチの状態による撮像系のモード切替動作を示す。検出スイッチ１２がＯＦＦのときには通常の撮像モードにある。検出スイッチ１２がＯＮのときには低照度撮像モードとなり、補助光に合わせて撮像系のゲインを変え、色温度の補正をおこなう。
【００３６】
また、図１５に第三の実施例における検出スイッチの状態による撮像系と表示系のモード切替動作を示す。検出スイッチがＯＦＦの場合には通常の撮像モードにある。検出スイッチがＯＮのときには表示モードを補助光モードとし、表示部をせばめると共に補助光用の表示を表示し、撮像系は低照度撮像用に撮像系のゲインを変え、色温度の補正をおこなう。
【図面の簡単な説明】
【００３７】
【図１】従来例の表示部を示す図
【図２】従来例の表示部側面図
【図３】本発明実施例であるところの携帯電話外観図
【図４】本発明実施例の表示部を示す図
【図５】本発明第一の実施例の通常撮像時を示す側面図
【図６】本発明第一の実施例の補助光撮影時を示す側面図
【図７】本発明第一の実施例の構成を示す図
【図８】本発明第二の実施例の通常撮像時を示す側面図
【図９】本発明第二の実施例の補助光撮影時を示す側面図
【図１０】本発明第二の実施例の構成を示す図
【図１１】本発明第三の実施例を適用したところの携帯電話外観図
【図１２】本発明第三の実施例の側面図
【図１３】本発明第三の実施例の表示画像を示す図
【図１４】本発明第一・第二の実施例のモード状態を示す図
【図１５】本発明第三の実施例のモード状態を示す図
【符号の説明】
【００３８】
１  液晶
２  光源
３  導光体
４  基板
６、１８  補助光用の光学系
８  撮像装置
１０  リフレクター
１２  検知スイッチ
【図１】
2007013283.tif 000003
【図２】
2007013283.tif 000004
【図３】
2007013283.tif 000005
【図４】
2007013283.tif 000006
【図５】
2007013283.tif 000007
【図６】
2007013283.tif 000008
【図７】
2007013283.tif 000009
【図８】
2007013283.tif 000010
【図９】
2007013283.tif 000011
【図１０】
2007013283.tif 000012
【図１１】
2007013283.tif 000013
【図１２】
2007013283.tif 000014
【図１３】
2007013283.tif 000015
【図１４】
2007013283.tif 000016
【図１５】
2007013283.tif 000017